(57)【要約】【課題】本発明は、組立が安全かつ容易なローブボックスのロック装置を実現することを目的とする。【解決手段】車両に用いられるグローブボックスに取付けられた箱状をなすベース２１と、該ベース２１にラチェット回転軸２５により揺動可能に支持されて車体に設けられたストライカ２４に係脱可能なラチェット２２と、前記ラチェット回転軸２５とは別の軸に支持されて前記ラチェット２２を回動することができるノブ２３と、を具備してなるグローブボックスのロック装置であって、前記ラチェット２２には、その一方の側部に前記ノブ２３により駆動される棒状のラチェット駆動部３０が設けられ、さらに該ラチェット駆動部３０に沿って組立時に使用する幅広状の組立用把手３１が設けられて成るように構成する。【選択図】　　　図１
2004068352.tif 000002
【特許請求の範囲】
【請求項１】
車両に用いられるグローブボックスに取付けられた箱状をなすベース（２１）と、該ベース（２１）にラチェット回転軸（２５）により揺動可能に支持されて車体に設けられたストライカ（２４）に係脱可能なラチェット（２２）と、前記ラチェット回転軸（２５）とは別の軸に支持されて前記ラチェット（２２）を回動することができるノブ（２３）と、を具備してなるグローブボックスのロック装置であって、
前記ラチェット（２２）には、その一方の側部に前記ノブ（２３）により駆動される棒状のラチェット駆動部（３０）が設けられ、さらに該ラチェット駆動部（３０）に沿って組立時に使用する幅広状の組立用把手（３１）が設けられて成ることを特徴とするグローブボックスのロック装置。
【請求項２】
前記組立用把手（３１）はロック解除の作動時にベース（２１）に干渉しないように、ラチェット駆動部（３０）に対して所定の角度を持たせてあることを特徴とする請求項１記載のグローブボックスのロック装置。
【発明の詳細な説明】
【０００１】
【発明の属する技術分野】
本発明はグローブボックスのロック装置に関する。詳しくは、組立てを容易にしたローブボックスのロック装置に関する。
【０００２】
【従来の技術】
従来の車両に用いられているグローブボックス及びそのロック装置の１例の断面図を図３に示す。同図において、符号１は車両のインストルメントパネル（又はダッシュボード）、２はグローブボックスであり、該グローブボックスはヒンジピン３によりインストルメントパネル１に回動可能に支持されている。また該グローブボックス２にはロック装置４が設けられ、インストルメントパネル１には該ロック装置４が係止されるストライカ５が設けられている。
【０００３】
また、該ロック装置４はストライカ５に係合するフック６及びラチェット７が設けられ、該ラチェット７はノブ８に固定され、該ノブ８をピン９を中心にして矢印Ａ方向に回動することによりストライカ５との係合を解き、グローブボックス２を前方に引き出すことができるようになっている。このように構成された、ロック装置４は、強度上、フック６をダイキャストで、ラチェット７を鉄製にしている。このため製品のコストが上がるという欠点がある。このため最近では低コストの樹脂製のロック装置が開発されている。
【０００４】
図４は樹脂製のロック装置を示す図である。このロック装置は図４（ａ）の正面斜視図、（ｂ）の背面斜視図、（ｃ）の断面図に示すように、グローブボックスに固定されるベース１０と、該ベース１０に回動可能に支持されたラチェット１１と、該ラチェット１１を駆動するノブ１２と、車両に設けられたストライカ１３とを具備して構成されている。そして前記ラチェット１１は鈎状をなし、ラチェット回転軸１４によりベース１０に回動可能に支持され、ノブ１２はベース１０の前面をほぼ覆うような形状をなし、前記ラチェット回転軸１４とは別の軸によりベース１０に回動可能に支持され、図示なきばねにより矢印Ａ方向に付勢されている。
【０００５】
また、ラチェット１１は図示なきばねにより矢印Ｂ方向に付勢されている。そして該ラチェット１１はその鈎状部でストライカ１３に係合できるようになっている。この係合を解除するには、（ｃ）図の如く、ノブ１２の下部を矢印Ａと反対の方向に回動させることによりノブ１２に形成された図示なきアームが（ｄ）図の如く、ラチェット１１に形成されたラチェット駆動部１６を矢印Ｘ方向に押圧し、ラチェット１１を（ｃ）図の矢印Ｂと反対方向に回動させてストライカ１３との係合を解除することができ、これによりグローブボックスを開放することができる。
【０００６】
【発明が解決しようとする課題】
上記のような従来のグローブボックスのロック装置においては、図４（ｄ）に示す如き形状のラチェットをベース１０に組付けるには、図５に示すようにして組付けられる。なお、同図はノブが組付けられていない状態であり、（ａ）は背面図、（ｂ）は（ａ）図のｂ−ｂ線における断面図、（ｃ）及び（ｄ）は（ａ）図のｃ−ｃ線における断面図である。
【０００７】
このロック装置におけるベース１０へのラチェット１１の組付けは先ず（ｄ）図の如く、ラチェット回転軸１４に復帰ばね１７を挿入し、その状態でラチェット駆動部１６を手で持ち、ラチェット回転軸１４の一端をベース１０の一方の軸受１８に覗かせ、次いで、ラチェット１１を矢印Ａ方向に回動して他方のラチェット回転軸１４′を他方の軸受１８′に挿入し（ｃ）図の如く組み付けを完了するのである。
【０００８】
上記の如くベース１０へラチェット１１を組付ける場合には、ラチェット駆動部１６を手で持って矢印Ａ方向に回動する必要があるが、ベース１０の上下の壁の間隔が狭く、ラチェット駆動部１６を持った指がベース１０の上下の壁に当たり作業が困難となる。また怪我をする危険もある等の問題がある。
【０００９】
本発明は、上記従来の問題点に鑑み、ラチェットのベースへの組付けを安全且つ容易に行なうことができるようにしたグローブボックスのロック装置を実現することを目的とする。
【００１０】
【課題を解決するための手段】
上記目的を達成するため、本発明の請求項１は、車両に用いられるグローブボックスに取付けられた箱状をなすベース２１と、該ベース２１にラチェット回転軸２５により揺動可能に支持されて車体に設けられたストライカ２４に係脱可能なラチェット２２と、前記ラチェット回転軸２５とは別の軸に支持されて前記ラチェット２２を回動することができるノブ２３と、を具備してなるグローブボックスのロック装置であって、前記ラチェット２２には、その一方の側部に前記ノブ２３により駆動される棒状のラチェット駆動部３０が設けられ、さらに該ラチェット駆動部３０に沿って組立時に使用する幅広状の組立用把手３１が設けられて成ることを特徴とする。また、請求項２は、前記組立用把手３１はロック解除の作動時にベース２１に干渉しないように、ラチェット駆動部３０に対して所定の角度を持たせてあることを特徴とする。
【００１１】
この構成を採ることにより、ラチェットのベースへの組付けを安全且つ容易に行なうことができるようにしたグローブボックスのロック装置を実現することができる。
【００１２】
【発明の実施の形態】
図１は本発明のグローブボックスのロック装置の実施の形態を示す図であり、（ａ）は正面斜視図、（ｂ）は背面斜視図、（ｃ）は（ａ）図のｃ−ｃ線における断面図、（ｄ）はラチェットの斜視図である。本実施の形態は、グローブボックスに固定されるベース２１と、該ベース２１に回動可能に支持されたラチェット２２と、該ラチェット２２を駆動するノブ２３とを具備して構成されている。なお、符号２４は車両に設けられたストライカである。
【００１３】
また、（ｃ）図の如く、前記ラチェット２２は鈎状をなし、ラチェット回転軸２５により支持されて図示なきばねにて矢印Ｂ方向に付勢され、前記ノブ２３はベース２１の前面をほぼ覆うような形状をなし、前記ラチェット回転軸２５とは別の軸に支持されて、図示なきばねにより矢印Ａ方向に付勢されている。
【００１４】
また、ラチェット２２は図１（ｄ）に示すように、ストライカ２４に係止するストライカ保持部２６とストライカ当たり面２７がＵ字状に形成された鈎部２８と、該鈎部２８とラチェット回転軸２５とをつなぐ連結部２９と、該連結部２９の一方の側部にラチェット駆動部３０が形成されている。以上は図４で説明した従来例と同様である。本実施の形態の特徴は、ラチェット駆動部３０に沿って組立用把手３１を設けたことである。なおこの組立用把手３１はラチェット駆動部３０に対して所定の角度傾斜して設けられている。
【００１５】
このように構成された本実施の形態の作用を図２により説明する。同図（ａ）は背面図、（ｂ）は（ａ）図のｂ−ｂ線における断面図、（ｃ）は（ａ）図のｃ−ｃ線における断面図、（ｄ）は（ａ）図のｄ−ｄ線における断面図で、ラチェットが回動された状態を示している。そして、ラチェット２２をベース２１に組付けるには、先ず、ラチェット回転軸２５にラチェット復帰ばね３２を嵌装した後、組立用把手３１を手で持って、一方の軸受３３に挿入し、次いで、矢印Ｂ方向に回動してラチェット回転軸の他端を他方の軸受３３′に挿入して組付ける。
【００１６】
この場合、組立用把手３１が幅広であるので指で持ち易く、従って組立が容易となる。また組立が容易であるので安全でもある。また、本ラチェットは組立用把手３１がラチェット駆動部３０に対して所定の角度で形成されているため、（ｄ）図に示すように、ラチェット２２を回動した時、ベース２１の壁に干渉せず、ラチェット２２を所定の角度回動できるようになっている。
【００１７】
【発明の効果】
本発明のグローブボックスのロック装置に依れば、ラチェットのラチェット駆動部に沿って幅広の組立用把手を設けたことにより、組立が容易になると共に安全面においても効果を有する。
【図面の簡単な説明】
【図１】本発明のグローブボックスのロック装置の実施の形態を示す図で、（ａ）は正面斜視図、（ｂ）は背面斜視図、（ｃ）は（ａ）図のｃ−ｃ線における断面図、（ｄ）はラチェットの斜視図である。
【図２】本発明のグローブボックスのロック装置の実施の形態の作用を説明するための図で、（ａ）は後面図、（ｂ）及び（ｄ）は（ａ）図のｂ−ｂ線における断面図、（ｃ）は（ａ）図のｃ−ｃ線における断面図である。
【図３】従来のグローブボックス及びそのロック装置を示す断面図である。
【図４】従来の樹脂製ロック装置を示す図で、（ａ）は正面斜視図、（ｂ）は背面斜視図、（ｃ）は（ａ）図のｃ−ｃ線における断面図、（ｄ）はラチェットの斜視図である。
【図５】発明が解決しようとする課題を説明するための図である。
【符号の説明】
２１…ベース
２２…ラチェット
２３…ノブ
２４…ストライカ
２５…ラチェット回転軸
２６…ストライカ保持部
２７…ストライカ当たり面
２８…鈎部
２９…連結部
３０…ラチェット駆動部
３１…組立用把手
３２…ラチェット復帰ばね
３３，３３′…軸受
【図１】
2004068352.tif 000003
【図２】
2004068352.tif 000004
【図３】
2004068352.tif 000005
【図４】
2004068352.tif 000006
【図５】
2004068352.tif 000007